(57)【特許請求の範囲】
【請求項１】
隣接する構築用ブロックの端面間に介装される可縮性の目地プレートと、前記目地プレートの係止孔に貫通して装着されると共に両端部が前記構築用ブロックの端面の嵌入孔に嵌入される固定ピンとを備えた構築用ブロックの目地部材において、
前記目地プレートの係止孔は、前記固定ピンを装着したときに、当該係止孔の周面が前記固定ピンの外周面と周方向において複数箇所で接触すると共に、これらの接触部間に空隙部が形成される形状を有し、
前記固定ピンの断面外郭形状は円であり、前記目地プレートの係止孔は回転対称の形状を有することを特徴とする構築用ブロックの目地部材。
【請求項２】
隣接する構築用ブロックの端面間に介装される可縮性の目地プレートと、前記目地プレートの係止孔に貫通して装着されると共に両端部が前記構築用ブロックの端面の嵌入孔に嵌入される固定ピンとを備えた構築用ブロックの目地部材において、
前記目地プレートの係止孔は、前記固定ピンを装着したときに、当該係止孔の周面が前記固定ピンの外周面と周方向において複数箇所で接触すると共に、これらの接触部間に空隙部が形成される形状を有し、
前記空隙部が、前記係止孔の中心側を底辺としたときに正三角形状又は二等辺三角形状の形状を有することを特徴とする構築用ブロックの目地部材。
【請求項３】
隣接する構築用ブロックの端面間に介装される可縮性の目地プレートと、前記目地プレートの係止孔に貫通して装着されると共に両端部が前記構築用ブロックの端面の嵌入孔に嵌入される固定ピンとを備えた構築用ブロックの目地部材において、
前記目地プレートの係止孔は、前記固定ピンを装着したときに、当該係止孔の周面が前記固定ピンの外周面と周方向において複数箇所で接触すると共に、これらの接触部間に空隙部が形成される形状を有し、
前記固定ピンの外周面に、当該固定ピンの長手方向に伸びる突条が設けられており、前記固定ピンを前記係止孔に装着したときに、前記突条の一部が前記空隙部に嵌合可能であることを特徴とする構築用ブロックの目地部材。
【請求項４】
前記空隙部の数が前記突条の数以上である請求項３に記載の構築用ブロックの目地部材。
【請求項５】
請求項１から４のいずれかに記載の目地部材を有した構築用ブロック。
【発明の詳細な説明】
【技術分野】
【０００１】
本発明は、構築用ブロック、特に、道路の車道と歩道の境界又は中央分離帯等に使用する境界ブロックの施工に用いられる目地部材、及びその目地部材を有する構築用ブロックに関する。
【背景技術】
【０００２】
従来、道路の縦断方向に沿って構築用ブロック（境界ブロック）を施工する場合、隣接する構築用ブロック間の一体化を図ると共に、降雨時の背面からの雨水、土粒子の流出を防ぐ目的から、個々の構築用ブロック間に予め１０ｍｍを基準にある程度の間隔（目地部）を設け、その目地部にモルタルを充填するという施工方法を一般的にとっていた。
【０００３】
これに対して、特許文献１には、構築用ブロック間の目地部にモルタルを充填する作業を省略することができ、しかも施工を簡単に行える構築用ブロックの目地施工方法が提案されている。この目地施工方法においては、目地プレートの四隅に形成した係止孔に固定ピンをそれぞれ貫通して装着し、各固定ピンの一端部を構築用ブロックの端面に形成した嵌入孔に嵌入係止する。その後、他方の構築用ブロックをクレーン等により移動させ、目地プレートの他方に突出する固定ピンに対し他方の構築用ブロックの嵌入孔を対向させ同構築用ブロックを目地プレートに押圧接触して固定ピンの他端部を他方の構築用ブロックの嵌入孔に嵌入係止する。このようにして隣接する構築用ブロックの端面間に目地プレートが介装された状態で両構築用ブロックが固定ピンにより連結される。なお、特許文献２には、上記固定ピンの改良が提案されている。
【０００４】
ところで、構築用ブロックはコンクリート製であり、そのコンクリート製法から僅かながらも誤差が生じる場合がある。これはコンクリート製品製造における寸法誤差によるもので、例えば無筋コンクリートである歩車道境界ブロックの寸法は、ＪＩＳＡ５３７１：２００４の「付属書２（規定）舗装・境界ブロック類」において、付属書２表５「境界ブロックの寸法及び寸法の許容差」で規定されている下記内容からわかるように寸法誤差が生じることを想定したものとなっている。
・上面の幅の許容差：±２ｍｍ
・底面の幅の許容差：±３ｍｍ
・高さの許容差：±３ｍｍ
・丸面取りの許容差：−（該当なし）
・長さの許容差：±３ｍｍ
同じくＪＩＳＡ５３７１：２００４の「推奨仕様２−２境界ブロック」において、推奨仕様２−２表３「寸法及び寸法の許容差」で規定されている下記内容においても寸法誤差が生じることを想定したものとなっている。
・上面の幅の許容差：±２ｍｍ
・底面の幅の許容差：±３ｍｍ
・高さの許容差：±３ｍｍ
・長さの許容差：±３ｍｍ
【０００５】
このようにコンクリート製品である構築用ブロックに生じがちな寸法誤差によって、上述の嵌入孔の位置がずれたり、その向きが僅かながらずれたりすると、構築用ブロックの端面形状に一致させて作られた寸法誤差がほとんど見られない目地プレートを、構築用ブロックの端面にあてがって位置決めする場合に、構築用ブロックの嵌入孔に対応する目地プレートの係止孔が僅かにずれることがある。このため、目地プレートの係止孔に通して、構築用ブロック間を直線状に連結する固定ピンの挿入が容易でない場合が見受けられる。
【先行技術文献】
【特許文献】
【０００６】
【特許文献１】特許第３１５３８５９号公報（特開平７−２５２８２９号公報）
【特許文献２】特許第３１０６１４９号公報（特開平８−３２８６０９号公報）
【発明の概要】
【発明が解決しようとする課題】
【０００７】
本発明が解決しようとする課題は、目地プレートの係止孔に貫通して装着した固定ピンの両端部を、隣接する構築用ブロックの端面の嵌入孔に嵌入させて構築用ブロック間を連結する目地施工において、構築用ブロックの寸法誤差に起因して嵌入孔の位置や向きがずれたとしても、固定ピンによる構築用ブロック間の連結を容易に行うと共に、目地プレートがブロック端面の所定位置に取り付けられる構築用ブロックの目地部材、及びその目地部材を有する構築用ブロックを提供することにある。
【課題を解決するための手段】
【０００８】
本発明によれば、以下の（１）から（５）の構築用ブロックの目地部材及び構築用ブロックが提供される。
（１）隣接する構築用ブロックの端面間に介装される可縮性の目地プレートと、前記目地プレートの係止孔に貫通して装着されると共に両端部が前記構築用ブロックの端面の嵌入孔に嵌入される固定ピンとを備えた構築用ブロックの目地部材において、前記目地プレートの係止孔は、前記固定ピンを装着したときに、当該係止孔の周面が前記固定ピンの外周面と周方向において複数箇所で接触すると共に、これらの接触部間に空隙部が形成される形状を有し、前記空隙部が、前記係止孔の中心側を底辺としたときに正三角形状又は二等辺三角形状の形状を有することを特徴とする構築用ブロックの目地部材。
（２）隣接する構築用ブロックの端面間に介装される可縮性の目地プレートと、前記目地プレートの係止孔に貫通して装着されると共に両端部が前記構築用ブロックの端面の嵌入孔に嵌入される固定ピンとを備えた構築用ブロックの目地部材において、前記目地プレートの係止孔は、前記固定ピンを装着したときに、当該係止孔の周面が前記固定ピンの外周面と周方向において複数箇所で接触すると共に、これらの接触部間に空隙部が形成される形状を有し、前記空隙部が、前記係止孔の中心側を底辺としたときに正三角形状又は二等辺三角形状の形状を有することを特徴とする構築用ブロックの目地部材。
（３）隣接する構築用ブロックの端面間に介装される可縮性の目地プレートと、前記目地プレートの係止孔に貫通して装着されると共に両端部が前記構築用ブロックの端面の嵌入孔に嵌入される固定ピンとを備えた構築用ブロックの目地部材において、前記目地プレートの係止孔は、前記固定ピンを装着したときに、当該係止孔の周面が前記固定ピンの外周面と周方向において複数箇所で接触すると共に、これらの接触部間に空隙部が形成される形状を有し、前記固定ピンの外周面に、当該固定ピンの長手方向に伸びる突条が設けられており、前記固定ピンを前記係止孔に装着したときに、前記突条の一部が前記空隙部に嵌合可能であることを特徴とする構築用ブロックの目地部材。
（４）前記空隙部の数が前記突条の数以上である（３）に記載の構築用ブロックの目地部材。
（５）（１）から（４）のいずれかに記載の目地部材を有した構築用ブロック。
【発明の効果】
【０００９】
本発明の構築用ブロックの目地部材においては、目地プレートの係止孔に固定ピンを装着したとき、当該係止孔の周面が固定ピンの外周面と周方向において複数箇所で接触することで固定ピンが支持されると共に、これらの接触部間に空隙部が形成される。この空隙部の存在により、係止孔内における固定ピンの位置や向きの調整の自由度が増す。したがって、構築用ブロックの寸法誤差に起因して嵌入孔の位置や向きがずれたとしても、固定ピンによる構築用ブロック間の連結を容易に行うことができる。また、車両タイヤや道路清掃車に設置された掃除ブラシなどが構築用ブロック目地部に衝突したり、目地部に接し、擦ることで目地プレートが損傷することを防ぐため目地プレートの実用化はタイヤ、ブラシなどが目地プレートに直に当たらないように構築用ブロック端面の外周から内側へ１ｍｍ小さくした形状となっているが、この空隙部の存在により、係止孔内における固定ピンの位置や向きの調整の自由度が増すことで、その創意工夫のうえ実用化された目地プレート形状を構築用ブロック端面の外周から内側へ１ｍｍ小さくした所定位置に取り付けることもできる。
【図面の簡単な説明】
【００１０】
【図１】本発明の一実施例による目地部材の構成要素及びその使用状態を示す斜視図である。
【図２】固定ピンの詳細構成を示す斜視図である。
【図３】固定ピンを係止孔に装着した使用状態を示す要部の断面図である。
【図４】図３のＡ−Ａ端面図である。
【図５】目地プレートの係止孔の形状の変形例を示す断面図である。
【発明を実施するための形態】
【００１１】
以下、図面に示す実施例に基づき本発明の実施の形態を説明する。本実施例は、本発明の目地部材を車道と歩道の境界構築用ブロック（歩車道境界ブロック）間に適用したものである。
【００１２】
図１は、本実施例による目地部材の構成要素及びその使用状態を示す斜視図である。具体的には、図１の上段に目地部材の構成要素、下段に使用状態を示すが、下段の使用状態においては目地部材の構成要素は一部省略して示している。
【００１３】
図１において符号１０Ａ，１０Ｂは、コンクリート製の歩車道境界ブロック（以下、単に「境界ブロック」という。）である。境界ブロック１０Ａ，１０Ｂの両端面の四隅近傍にはテーパ状の嵌入孔１１が内端ほど小径となるよう形成されている。直列に接続される境界ブロック１０Ａ，１０Ｂの端面間には目地プレート２０が介装される。
【００１４】
目地プレート２０は、境界ブロック１０Ａ，１０Ｂの端面形状と一致する形状を有しているが、実用化された目地プレートでは境界ブロック端面の外周から内側へ１ｍｍ小さい形状となっている。これは、目地プレートが境界ブロックに取り付けられ、当該道路工事が竣工し、道路が供与され、車両通行が始まった以後において、車両タイヤ部がブロック目地部に衝突したり、道路清掃車の車両両側面に設置された掃除ブラシのうち境界ブロック側のブラシがブロック目地部に接し、擦ることで目地プレートが損傷することを防ぐために、ブラシが直に目地プレートに当たらないように、１ｍｍ内側へ小さくしたもので、創意工夫の実用化である。目地プレート２０の材質はポリエチレン樹脂発泡体等の耐光性に優れ、可縮性のある材料で形成され、緩衝材としての機能も持たせることもできる。
【００１５】
目地プレート２０の四隅には境界ブロック１０Ａ，１０Ｂの端面の嵌入孔１１と同じ位置に四つの係止孔２１が形成されている。これらの係止孔２１にはそれぞれ固定ピン３０が貫通して装着される。各固定ピン３０の両端部は境界ブロック１０Ａ，１０Ｂの嵌入孔１１に嵌入係止され、目地プレート２０は境界ブロック１０Ａ，１０Ｂの対向する端面に挟着される。固定ピン３０は境界ブロック１０Ａ，１０Ｂの端面どうしの位置合わせを正確に行う機能と、境界ブロック１０Ａ，１０Ｂの側方への相対移動を阻止する機能とを有している。
【００１６】
次に、固定ピン３０、及びこれが貫通して装着される係止孔２１の詳細構成を説明する。図２は固定ピン３０の詳細構成を示す斜視図、図３は固定ピン３０を係止孔２１に装着し、ブロック端面まで嵌入させた使用状態を示す要部の断面図、図４は図３のＡ−Ａ端面図である。
【００１７】
固定ピン３０は、横円柱形状の中央部３１の両端にテーパ部３２が一体的に形成されてなる。両テーパ部３２は先端ほど小径となるように形成されている。両テーパ部３２の外周面には、固定ピンの長手方向に伸びる突条３３が一体的に設けられている。本実施例では、固定ピン３０の周方向に沿って等間隔でそれぞれ６本の突条３３が設けられている。また、各突条３３の中央部３１側の端部は傾斜部３３ａとされ、固定ピン３０を係止孔２１に挿入する際、突条３３が邪魔にならないようになっている。
【００１８】
このように固定ピン３０の外周面には突条３３が設けられているが、基本は横円柱形状の中央部３１と両テーパ部３２とからなり、固定ピン３０の断面外郭形状は実質的に円である。なお、両テーパ部３２の先端面にはテーパ孔３４が形成され、固定ピン３０の材料節約とコスト低減を図るようにしている。
【００１９】
係止孔２１は、図４に表れているように、固定ピン３０を装着したときに、係止孔２１の周面が固定ピン３０の外周面と周方向において複数箇所で接触する（この接触する箇所を「接触部」という。）と共に、これらの接触部２１ａ間に空隙部２１ｂが形成される形状を有する。本実施例において空隙部２１ｂは、係止孔２１の中心側を底辺としたときに高さ３ｍｍの正三角形の形状をなし、係止孔２１の周方向に沿って等間隔（３０°間隔）で合計１２個形成されるようになっている。言い換えれば、空隙部２１ｂは、接触部２１ａを円周に含む丸孔の周面を円周方向に沿って等間隔（３０°間隔）で正三角形状に切り欠くことで形成される。
【００２０】
次に、以上のように構成した目地プレート２０及び固定ピン３０を用いて、境界ブロック１０Ａ，１０Ｂを所定の位置に施工する作業を説明する。
【００２１】
施工にあたっては、床堀後、基礎材等を施し、境界ブロック１０Ａを設置する。そして、この境界ブロック１０Ａの端面に形成した嵌入孔１１に対し、係止孔２１をあてがって、固定ピン３０の一方のテーパ部３２を係止孔２１に装着しつつ境界ブロック１０Ａの端面に形成した嵌入孔１１に嵌入係止させる。各固定ピン３０のテーパ部３２外周に設けた突条３３が境界ブロック１０Ａの嵌入孔１１のテーパ内周面１１ａに挿入される際、突条３３の先端縁が嵌入孔１１のテーパ内周面１１ａに弾性変形しつつ押圧されるので、その突条３３の弾発力により固定ピン３０がテーパ内周面１１ａに押圧接触される（図３参照）。このため境界ブロック１０Ａの嵌入孔１１内の固定ピン３０は、目地プレート２０が振動したり、境界ブロック１０Ａ，１０Ｂが振動したりして衝撃が加わっても嵌入孔１１から抜け出ることはなく、境界ブロック１０Ａの端面から目地プレート２０が外れることはない。
【００２２】
次いで、境界ブロック１０Ｂをその端面が目地プレート２０の他面に隣接するように設置する。そして、目地プレート２０の他面から突出する固定ピン３０のテーパ部３２に対し、境界ブロック１０Ｂの嵌入孔１１を対向させ、この境界ブロック１０Ｂを目地プレート２０に押圧接触して固定ピン３０のテーパ部３２を同境界ブロック１０Ｂの嵌入孔１１に嵌入係止する。このようにして隣接する境界ブロック１０Ａ，１０Ｂの端面間に目地プレート２０が介装された状態で両境界ブロック１０Ａ，１０Ｂが固定ピン３０により連結される。
【００２３】
以上の施工においては、図３及び図４で説明したように、目地プレート２０の係止孔２１に固定ピン３０を装着したときに、係止孔２１の周面の接触部２１ａが固定ピン３０の外周面と周方向に間隔をおいて接触することで固定ピン３０が支持されると共に、これらの接触部２１ａ間に空隙部２１ｂが形成される。この空隙部２１ｂの存在により、係止孔２１内における固定ピン３０の位置や向きの調整の自由度が増す。したがって、境界ブロック１０Ａ，１０Ｂの寸法誤差に起因して嵌入孔１１の位置や向きがずれたとしても、固定ピン３０による境界ブロック１０Ａ，１０Ｂ間の連結を容易に行うことができる。また、境界ブロック１０Ａ，１０Ｂの寸法誤差によって、創意工夫のうえ実用化された目地プレートのブロック端面外周から内側へ僅か１ｍｍ小さくした形状が所定位置からずれる懸念があるが、空隙部２１ｂの存在により、係止孔２１内における固定ピン３０の位置や向きの調整の自由度が増すためにその調整自由度に追随して僅か１ｍｍのずれは解消される。なお、本実施例における空隙部２１ｂの高さ（３ｍｍ）は、上述したＪＩＳＡ５３７１：２００４の「境界ブロックの寸法及び寸法の許容差」、「寸法及び寸法の許容差」に合せて、普遍性を追求したものである。
【００２４】
また、本実施例では、図４に示すように空隙部２１ｂには、固定ピン３０の外周に設けた突条３３の一部が嵌合可能である。このように突条３３が空隙部２１ｂに嵌合可能であることで、固定ピン３０を係止孔２１に挿入する際、突条３３が邪魔にならないでスムーズに挿入される。また、固定ピン３０を係止孔２１に挿入した後は、突条３３が空隙部１２ｂに嵌合することで、固定ピン３０が確実に位置決め固定される。
【００２５】
なお、本実施例では、空隙部２１ｂの数が１２で、突条３３の数が６であるので、図４に示すように、突条３３が、空隙部２１ｂに対して一つおきに嵌合可能である。このように、空隙部２１ｂの数が突条３３の数以上であると、突条３３が空隙部２１ｂに嵌合しやすくなる。
【００２６】
以下、目地プレート２０の係止孔２１の形状の変形例を示す。
【００２７】
図５（ａ）は、係止孔２１の形状を、固定ピン３０の外周円に外接する正六角形とした例である。この場合、接触部２１ａは６箇所となり、これらの接触部２１ａ間に二等辺三角形状の空隙部２１ｂが形成される。係止孔２１の形状はこの正六角形に限らず、他の正多角形（固定ピン３０の外周円に外接する正多角形）とすることもできる。これらの係止孔２１は図４の例も含めて、いずれも回転対称の形状を有する。係止孔２１の形状が回転対称であると、係止孔２１内における固定ピン３０の支持固定が均一になり、しかも空隙部２１ｂも均等に配置されるので、係止孔２１内における固定ピン３０の位置や向きの調整の自由度がより一層増す。ただし、本発明では、図５（ｂ）に示すように、係止孔２１は回転対称でない形状とすることもできる。
【符号の説明】
【００２８】
１０Ａ，１０Ｂ  構築用ブロック（境界ブロック）
１１  嵌入孔
１１ａ  テーパ内周面
２０  目地プレート
２１  係止孔
２１ａ  接触部
２１ｂ  空隙部
３０  固定ピン
３１  中央部
３２  テーパ部
３３  突条
３３ａ  傾斜部
３４  テーパ孔
【図１】
0005878955.tif 000002
【図２】
0005878955.tif 000003
【図３】
0005878955.tif 000004
【図４】
0005878955.tif 000005
【図５】
0005878955.tif 000006